(57)【要約】      （修正有）【課題】剪定ハサミのケースへの挿入は腰回りの目が行き届かないことによる不便さと、手元から腰元まで長い距離を繰り返し移動させる不便さをなくし、使い勝手の良い剪定道具の携帯収納ケースを提供する。【解決手段】工具収納ケース取り付け部は台座３と旋回構造を設け、旋回構造には旋回停止位置を特定するストッパー構造を設ける。工具収納ケース取り付け部を引き外せる構造とし、ベルト係合部４にベルトを通し、手首に装着して使用する。【選択図】図１
0003194503.tif 000002
【実用新案登録請求の範囲】
【請求項１】
主要に、ケース部とそれに付け外し式に取り付けられる台座設置盤及び台座設置盤に設置される台座によって構成されるところの剪定道具の携帯収納ケースであり、ここでは収納される道具を便宜上ハサミによって代表される形で説明するのであるが、ケース部は、一面平坦なケース腹板面とその左右上部を筒壁様に覆うケースカバー面から成り、筒状の両端はハサミ挿入口・その反対端共に開口してある一般的な形状を前提しつつも、内側のケース腹板面の中央辺にはハサミ吸着磁石が設置され、ケース腹板面の外側・中央よりもハサミ挿入口寄りの位置に、台座設置盤２が設けられ、台座設置盤には、縁沿いの相互に真向かいの２箇所に旋回角度調節受け磁石を設け、この二つの磁石の中間の・縁沿いよりも少し内側・相互に真向かいの２箇所に、盤面から少し突き出るピンを形設し、盤面真ん中に取り付け軸孔が設けられ、表面を斯様に形成された台座設置盤は、裏側面においてケース腹板面の上記の位置に取り付けられるのであるが、台座設置盤の表側に符合する形で設置されるのが台座であって、台座の真ん中には、台座設置盤の取付け軸孔とピッタリ符合する同一の取り付け軸孔が設けられ、台座の縁沿いには、この取付け軸孔を挟んで対向的に位置する２個の旋回角度調節磁石が二組・合計４個が設けられ、各組のそれぞれの２個の磁石の中間には、大らかな円弧状に・細く・ピンスライド溝が穿設され、台座の左右端にはベルト係合部が設けられ、台座と台座設置盤は、取付け軸孔を貫通する軸ネジによってケース部に一体に結合されるのであって、斯くして、剪定作業において本考案を腕にベルトで捲き留めて携帯し、その中に剪定ハサミを一時収めて作業を進めている時、身体の態勢と腕の動きが複雑に変わり、収納ケースの傾きも中からハサミが飛び出しやすくなりそうな時は、他方の手でケースをクルット回せばピンがピンスライド溝を滑るように動き、それに伴って旋回角度調節磁石と旋回角度調節受け磁石との磁着結合が瞬時に飛び移るように相手を取り替えて、ハサミ挿入入口は中身が飛び出さない上向きになるのであり、作業の流れの中で万が一この旋回角度調節のためのワンタッチが少し遅れてしまって、ハサミ挿入入口が少し下向きになったとしても、その状態が長時間続くのでない限り、ケース内のケース腹板面に設けられたハサミ吸着磁石に捕まっているハサミは、簡単には飛び出さないし、また、別形態の台座や台座設置盤との交換、或いは分解掃除をする時等は、いつでも自由に取り外しが出来ると言う事を特徴とする剪定道具の携帯収納ケース。
【請求項２】
ケース部に取り付けられる台座設置盤ピンの代わりに中心部に軸磁石凸を設け、台座のピンスライド溝の代わりに中心部に軸磁石凹を設ける事を特徴とする請求項１における剪定道具の携帯収納ケース。
【考案の詳細な説明】
【技術分野】
【０００１】  本考案は植木などを手入れする剪定道具の携帯ケースに関するものである。
【背景技術】
【０００２】  従来、剪定ハサミなどの工具は腰のベルトに付けたケースから出し入れして使用されている。（図３参照）
【考案の概要】
【考案が解決しようとする課題】
【０００３】  従来、剪定ハサミのケースへの挿入は腰回りの目が行き届かない位置のため不便である。手元から腰元まで長い距離を繰り返し移動させる不便さがある。又、旧来のケースは自重下垂状態でハサミの希望挿入角度と不一致で不便である。本考案は、以上の問題点を解決するものである。
【課題を解決するための手段】
【０００４】  主要に、ケース部とそれに付け外し式に取付けられる台座設置盤及び台座設置盤に設置される台座によって構成されるところの剪定道具の携帯収納ケースであるが、ここでは収納される道具を便宜上はさみによって代表される形で説明する。
ケース部は、一面平坦なケース腹板面とその左右上部を筒壁様に覆うケースカバー面から成り、筒状の両端はハサミ挿入口・その反対端共に開口してある一般的な形状を前提としつつも、内側のケース腹板面の中央辺にはハサミ吸着磁石が設置される。
ケース腹板面の外側・中央よりもハサミ挿入口寄りの位置に、台座設置盤が設けられる。台座設置盤には、縁沿いの相互に向かいの２個所に旋回角度調節受け磁石を設け、この二つの磁石の中間の・縁沿いよりも少し内側・相互に真向かいの２個所に、盤面から少し突き出るピンを形設し、盤面真ん中に取り付け軸孔が設けられる。表側を斯様に形成された台座設置盤は、裏側面においてケース腹板面の上記の位置に取り付けられる。
台座設置盤の表側に符合する形で設置されるのが台座である。台座の真ん中には、台座設置盤の取付け軸孔とピッタリ符合する同一の取付け軸孔が設けられる。台座の縁沿いには、この取付け軸孔を挟んで対面的に位置する２個の旋回角度調節磁石が二組・合計４個設けられる。各組のそれぞれの２個の磁石の中間には、大らかな円弧状に・細く・ピンスライド溝が穿設される。
台座の左右端にはベルト係合部が設けられ、台座と台座設置盤は、取付け軸孔を挿通する軸ネジによってケース部に一体的に結合される。
斯くして、剪定作業において本考案を腕にベルトで捲き留めて携帯し、その中に剪定ハサミを一時収めて作業を進めている時に、身体の態勢と腕の動きが複雑に変わり、収納ケースの傾きも中からハサミが飛び出しやすくなりそうな時は、他方の手でケースをクルット回せば、ピンがピンスライド溝を滑るように動き、それに伴って旋回角度調節磁石と旋回角度調節受け磁石との磁着結合が瞬時に飛び移るように相手を取替えて、ハサミ挿入口は中身が飛び出さない上向きになるのであり、作業の流れの中で万が一この旋回角度調節のためのワンタッチが少し遅れてしまって、ハサミ挿入口が少々下向きになったとしても、その状態が長時間続くのでない限り、ケース内のケース腹板面に設けられたハサミ吸着磁石に捕まっているハサミは、簡単には飛び出さない。又、別形態の台座や台座設置盤との交換、或いは分解掃除をする時等は、いつでも自由に付け外しができる。
以上を特徴とする剪定道具の携帯収納ケースである。
【考案の効果】
【０００５】  腕に装置することで剪定ハサミの移動距離の短縮が可能となる。挿入するケース入り口の方向を旋回特定して剪定はさみの挿入方向が自然動作に合致する。ハサミを腕と平行に保つ位置に旋回可変出来る事は、剪定ハサミ握り部が腕より外にはみ出し不便である事を防ぐ効果がある。
【図面の簡単な説明】
【０００６】
【図１】本考案の分解斜視図
【図２】本考案の分解斜視図
【図３】腰に既存の工具ケースを取り付けた一般的な使用例を示した説明図
【図４】既存の方法として縫製士が腕に針山を取り付けた例を示した斜視図
【図５】本考案を既存の方法として作業に使用している状態の例を示した斜視図
【図６】本考案を既存の方法として使用しながら作業を休止している状態を示した斜視図
【考案を実施するための形態】
【０００７】  以下、本考案の実施の形態を説明する。
主要に、ケース部（１）とそれに付け外し式に取り付けられる台座設置盤（２）及び台座設置盤（２）に設置される台座（３）によって構成される。
ケース部（１）は、一面平坦なケース腹板面（１１）とその左右上部を筒壁様に覆うケースカバー面（１２）から成り、筒状の両端はハサミ挿入口（１５）・その反対端共に開口してある一般的な形状を前提しつつも、内側のケース腹板面（１１）の中央辺にはハサミ吸着磁石（１３）が設置される。
ケース腹板面（１１）の外側・中央よりもハサミ挿入口（１５）寄りの位置に、台座設置盤（２）が設けられる。台座設置盤（２）には、縁沿いの相互に真向かいの２箇所に旋回角度調節受け磁石（８ａ、８ｂ）を設け、この二つの磁石の中間の・縁沿いよりも少し内側・相互に真向かいの２箇所に、盤面から少し突き出るピン（９ａ、９ｂ）を形設し、盤面真ん中に取り付け軸孔（１４）が設けられる。表面を斯様に形成された台座設置盤（２）は、裏側面においてケース腹板面（１１）の上記の位置に取り付けられる。
台座設置盤（２）の表側に符合する形で設置されるのが台座（３）である。台座（３）の真ん中には、台座設置盤（２）の取り付け軸孔（１４）とピッタリ符合する同一の取り付け軸孔（１４）が設けられる。台座（３）の縁沿いには、この取り付け軸孔（１４）を挟んで対向的に位置する２個二組合計４個の正解角度調節磁石（７ａ、７ｂ、７ｃ、７ｄ）が設けられる。各組のそれぞれの２個の磁石の中間には、おおらかな円弧状に・細く・ピンスライド溝（１０）が穿設される。台座（３）の左右端にはベルト係合部（４）が設けられ、台座（３）と台座設置盤（２）は、取付け軸孔（１４）を貫通する軸ネジによってケース部に一体に結合される。
なお、ケース部（１）に取り付けられる台座設置盤（２）のピン（９ａ、９ｂ）の代わりに中心軸に軸磁石（５）を設け、台座（３）のピンスライド溝（１０）の代わりに中心部に軸磁石凹（６）を設ける形で構成されても、旋回角度調節の操作は全く同様で同一の効果が得られる。
本考案は、以上の様な構成であり、以下これを実際に使用する時の具体的な形態を説明する。
本考案を使用するときは、装置全体はベルト貫通部（４）を使用して腕にベルト留めする。ケース（１）の向きを図（６）の様に腕と平行な位置から剪定はさみを挿入しやすい図（５）のような自然な方向へ旋回させる。これにより剪定はさみの挿脱作業は眼前で自然な動作で行える事となる。目の届かない腰回りまでの長い距離の移動もなく作業時間の短縮になる。休息時には、ケースを腕と平行な図（６）の様な方向に旋回する事により剪定はさみ握り部が腕より張り出さず利便性が高い。別の作業に切り替える時、ケース（１）台座設置盤（２）全体を引き離し違った台座設置盤（２）を吸着すれば次の違作業でも台座（３）を兼用して使用し続けられる。
植木剪定作業のハサミ作業・電気工事士のドライバー作業・図面制作者の筆記具の腕取り付け・縫製士の針山台などにおいて作業の快適性・作業時間の短縮化に適用出来る。
【符号の説明】
【０００８】１  ケース部、２  台座設置盤、３  台座、４  ベルト係合部、
５  軸磁石凸、６  軸磁石凹、
７ａ  旋回角度調節磁石、７ｂ  旋回角度調節磁石、７ｃ  旋回角度調節磁石、
７ｄ  旋回角度調節磁石、
８ａ  旋回角度調節受け磁石、８ｂ  旋回角度調節受け磁石、
９ａ  ピン、９ｂ  ピン、１０  ピンスライド溝、１１  ケース腹板面、
１２  ケースカバー面、１３  ハサミ吸着磁石、１４  取付け軸孔、
１５  ハサミ挿入入口、
【図１】
0003194503.tif 000003
【図２】
0003194503.tif 000004
【図３】
0003194503.tif 000005
【図４】
0003194503.tif 000006
【図５】
0003194503.tif 000007
【図６】
0003194503.tif 000008